(57)【要約】【課題】次のコンテンツの視聴開始までの時間内や、途中から視聴したコンテンツの残り時間内で視聴可能なコンテンツ一覧を表示することにより、装置内に蓄積されているコンテンツの視聴の機会を増やすようにしたコンテンツ蓄積再生装置を提供する。【解決手段】本発明のコンテンツ蓄積再生装置１００は、コンテンツを取得する取得部およびコンテンツの視聴予約を行う予約部（アンテナ１１０，１３０、放送受信部１２０、通信部１４０、制御部１８０）と、取得部により取得したコンテンツを記憶する記憶部１７０と、再生可能なコンテンツの一覧を表示する表示部１６０と、前記予約部により視聴予約した時刻から当該視聴予約したコンテンツの視聴開始時刻までの時間内で再生可能なコンテンツが記憶部１７０に記憶されている場合、当該再生可能なコンテンツの一覧を表示部１６９に表示するように制御する制御部１８０とを備える。【選択図】図１
2010130172.tif 000002
【特許請求の範囲】
【請求項１】
コンテンツを取得する取得部と、
該取得部により取得したコンテンツを記憶する記憶部と、
コンテンツの視聴予約を行う予約部と、
再生可能なコンテンツの一覧を表示する表示部と、
前記予約部により視聴予約した時刻から当該視聴予約したコンテンツの視聴開始時刻までの時間内で再生可能なコンテンツが前記記憶部に記憶されている場合、当該再生可能なコンテンツの一覧を前記表示部に表示するように制御する制御部と、を備えることを特徴とするコンテンツ蓄積再生装置。
【請求項２】
コンテンツを取得する取得部と、
該取得部により取得したコンテンツを記憶する記憶部と、
途中から視聴開始したコンテンツの残り時間を算出する算出部と、
再生可能なコンテンツの一覧を表示する表示部と、
該算出部により算出した残り時間内で再生可能なコンテンツが前記記憶部に記憶されている場合、当該再生可能なコンテンツの一覧を前記表示部に表示するように制御する制御部と、を備えることを特徴とするコンテンツ蓄積再生装置。
【請求項３】
前記再生可能なコンテンツの一覧の表示は、当該残り時間が予め設定した割合以下の場合に行うことを特徴とする請求項２記載のコンテンツ蓄積再生装置。
【請求項４】
前記記憶部に記憶したコンテンツに優先度を設定する設定部を備え、最上位の優先度を設定されたコンテンツを自動的に再生するようにしたことを特徴とする請求項１〜３の何れか１項記載のコンテンツ蓄積再生装置。
【請求項５】
コンテンツを取得する取得ステップと、
該取得ステップにより取得したコンテンツを記憶する記憶ステップと、
コンテンツの視聴予約を行う予約ステップと、
再生可能なコンテンツの一覧を表示する表示ステップと、
前記予約ステップにより視聴予約した時刻から当該視聴予約したコンテンツの視聴開始時刻までの時間内で再生可能なコンテンツが前記記憶ステップにより記憶されている場合、当該再生可能なコンテンツの一覧を前記表示ステップにより表示するように制御する制御ステップと、を行うことを特徴とするコンテンツ蓄積再生方法。
【発明の詳細な説明】
【技術分野】
【０００１】
本発明は、配信サービス等により取得したコンテンツを装置内に蓄積して視聴するコンテンツ蓄積再生装置およびコンテンツ蓄積再生方法に関するものである。
【背景技術】
【０００２】
最近の携帯電話機（端末）の中には、ＩＳＤＢ−Ｔ受信端末のように、リアルタイム放送の視聴、番組表の受信および予約録画が可能であり、端末内にコンテンツを蓄積して再生することができるものや、ＭｅｄｉａＦＬＯ受信端末のように、リアルタイム放送の視聴、番組表の受信、予約録画、クリップキャストの保存、携帯電話の機能を用いた配信サービスによるコンテンツ受信が可能であり、端末内にコンテンツを蓄積して再生することができるものがある。
このような端末においては、予約録画したコンテンツや、配信サービスで受信したコンテンツや、蓄積型のクリップキャストのコンテンツ等は端末内に蓄積され続けるため、それらの蓄積されたコンテンツを視聴するか否かは、端末のユーザが決定することになる。
【０００３】
また、従来、予めコンテンツを配信する時刻をサーバに登録しておき、ユーザが希望するときに配信してもらい、配信時に視聴することによって、端末内に蓄積されるコンテンツの容量を抑制する技術（例えば特許文献１参照）が提案されている。
【特許文献１】特開２００３−２３０１２１号公報
【発明の開示】
【発明が解決しようとする課題】
【０００４】
上述したような端末では、ユーザが蓄積されているコンテンツを意識的に視聴するように習慣付けていないと、端末内に視聴していないコンテンツが蓄積され続けてしまう。
また、上述したような端末では、端末内に蓄積されたコンテンツを視聴する際に、リアルタイムで視聴したいコンテンツがある場合には、そのコンテンツの視聴開始時刻（放送開始時刻）と現在時刻との間の時間（空き時間）をユーザ自身が考慮して、その空き時間内に視聴が完了するようなコンテンツを選択する必要がある。
なお、特許文献１記載の技術は、端末内に蓄積されるコンテンツの容量を抑制するものであり、端末内に蓄積されているコンテンツを積極的にユーザに視聴させるものではない。
【０００５】
本発明は、次のコンテンツの視聴開始までの時間内や、途中から視聴したコンテンツの残り時間内で視聴可能なコンテンツ一覧を表示することにより、装置内に蓄積されているコンテンツの視聴の機会を増やすようにしたコンテンツ蓄積再生装置を提供することを目的とする。
【課題を解決するための手段】
【０００６】
上記目的を達成するため、本発明の請求項１に係るコンテンツ蓄積再生装置は、コンテンツを取得する取得部と、該取得部により取得したコンテンツを記憶する記憶部と、コンテンツの視聴予約を行う予約部と、再生可能なコンテンツの一覧を表示する表示部と、前記予約部により視聴予約した時刻から当該視聴予約したコンテンツの視聴開始時刻までの時間内で再生可能なコンテンツが前記記憶部に記憶されている場合、当該再生可能なコンテンツの一覧を前記表示部に表示するように制御する制御部と、を備えることを特徴とする。
【０００７】
上記目的を達成するため、本発明の請求項２に係るコンテンツ蓄積再生装置は、コンテンツを取得する取得部と、該取得部により取得したコンテンツを記憶する記憶部と、途中から視聴開始したコンテンツの残り時間を算出する算出部と、再生可能なコンテンツの一覧を表示する表示部と、該算出部により算出した残り時間内で再生可能なコンテンツが前記記憶部に記憶されている場合、当該再生可能なコンテンツの一覧を前記表示部に表示するように制御する制御部と、を備えることを特徴とする。
【０００８】
本発明の請求項３に係るコンテンツ蓄積再生装置は、前記再生可能なコンテンツの一覧の表示は、当該残り時間が予め設定した割合以下の場合に行うことを特徴とする。
【０００９】
本発明の請求項４に係るコンテンツ蓄積再生装置は、前記記憶部に記憶したコンテンツに優先度を設定する設定部を備え、最上位の優先度を設定されたコンテンツを自動的に再生するようにしたことを特徴とする。
【００１０】
本発明の請求項５に係るコンテンツ蓄積再生方法は、コンテンツを取得する取得ステップと、該取得ステップにより取得したコンテンツを記憶する記憶ステップと、コンテンツの視聴予約を行う予約ステップと、再生可能なコンテンツの一覧を表示する表示ステップと、前記予約ステップにより視聴予約した時刻から当該視聴予約したコンテンツの視聴開始時刻までの時間内で再生可能なコンテンツが前記記憶ステップにより記憶されている場合、当該再生可能なコンテンツの一覧を前記表示ステップにより表示するように制御する制御ステップと、を行うことを特徴とする。
【発明の効果】
【００１１】
本発明によれば、次のコンテンツの視聴開始までの時間内や、途中から視聴したコンテンツの残り時間内で視聴可能なコンテンツ一覧を表示することにより、装置内に蓄積されているコンテンツの視聴の機会を増やすようにしたコンテンツ蓄積再生装置を提供することができる。
【発明を実施するための最良の形態】
【００１２】
以下、本発明を実施するための最良の形態を図面に基づき詳細に説明する。
図１は本発明の一実施形態に係るコンテンツ蓄積再生装置の構成を示すブロック図である。本発明のコンテンツ蓄積再生装置１００は、図１に示すように、アンテナ１１０と、放送受信部１２０と、アンテナ１３０と、通信部１４０と、入力部１５０と、表示部１６０と、記憶部１７０と、制御部１８０とを備える。なお、放送受信部１２０および通信部１４０は、何れか一方を省略してもよい。
【００１３】
本発明のコンテンツ蓄積再生装置１００としては、（１）ＩＳＤＢ−Ｔ受信端末のように、リアルタイム放送の視聴、番組表の受信および予約録画が可能であり、端末内にコンテンツを蓄積して再生することができるもの、（２）上記（１）の機能を内蔵し、携帯電話の機能を用いて配信サービスによるコンテンツ受信が可能なもの、（３）ＭｅｄｉａＦＬＯ受信端末のように、リアルタイム放送の視聴、番組表の受信、予約録画、クリップキャストの保存、携帯電話の機能を使った配信サービスによるコンテンツ受信が可能であり、端末内にコンテンツを蓄積して再生することができるもの、を用いることができる。
【００１４】
放送受信部１２０は、アンテナ１１０経由でリアルタイム放送の視聴や番組表の受信やコンテンツ（番組）の予約録画等を行う。放送受信部１２０としては、ＩＳＤＢ−Ｔ放送、ＭｅｄｉａＦＬＯ放送の少なくとも一方を受信可能なものを用いる。
通信部１４０は、アンテナ１３０経由で配信サーバ（図示せず）から配信サービスによるコンテンツ受信等を行う。
入力部１５０は、ユーザ操作に応じて各種データを入力する。
表示部１６０は、後述する「コンテンツ一覧」を含む各種情報を表示する。
記憶部１７０は、取得したコンテンツを含む各種情報やプログラム等を記憶する。なお、記憶部１７０に蓄積したコンテンツ（以下、保存コンテンツともいう）には、再生優先度を設定することができる。優先度は、コンテンツ毎の個別設定や、所望のジャンル（ニュース、天気予報等）の一括設定が可能である。
制御部１８０は、放送受信部１２０、通信部１４０、入力部１５０、表示部１６０および記憶部１７０の制御を行う。
【００１５】
上記において、アンテナ１１０、放送受信部１２０および制御部１８０、ならびに、アンテナ１３０、通信部１４０および制御部１８０は、コンテンツを取得する取得部に対応し、コンテンツの視聴予約を行う予約部に対応するとともに、途中から視聴開始したコンテンツの残り時間を算出する算出部に対応する。また、制御部１８０は、前記予約部により視聴予約した時刻から当該視聴予約したコンテンツの視聴開始時刻までの時間内で再生可能なコンテンツが記憶部１７０に記憶されている場合、当該再生可能なコンテンツの一覧を表示部１６０に表示するように制御する機能を有している。また、制御部１８０は、前記算出部により算出した残り時間内で再生可能なコンテンツが記憶部１７０に記憶されている場合、当該再生可能なコンテンツの一覧を表示部１６０に表示するように制御する機能を有している。さらに、制御部１８０は、記憶部１７０に記憶したコンテンツに優先度を設定する設定部の機能と、最上位の優先度を設定されたコンテンツを自動的に再生する機能とを有している。なお、前記再生可能なコンテンツの一覧の表示は、当該残り時間が予め設定した割合以下の場合に行うようにしてもよい。
【００１６】
［視聴予約時のコンテンツ一覧表示動作］
図２は本発明のコンテンツ蓄積再生装置において、視聴予約時に行うコンテンツ一覧表示処理を示すフローチャートである。このフローチャートは、ユーザがコンテンツ蓄積再生装置において図３（ａ）に示すような視聴予約画面（番組表）を表示して、その視聴予約画面で視聴したいコンテンツ（番組）を選択して視聴予約した後に開始される。図３（ａ）に示す例は、視聴予約を行った時刻が１９：５３で、視聴予約チャンネルが４ｃｈで、視聴予約したコンテンツ（番組）が「放送時間が２０：００〜２０：５４のドラマ」である場合を示している。
【００１７】
まず、図２のステップＳ１０１において、視聴開始時刻までに再生可能な保存コンテンツ（図３（ａ）の例の場合、視聴予約を行った時刻１９：５３から視聴開始時刻２０：００までの約７分で再生可能な保存コンテンツ）の有無を判断し、視聴開始時刻までに再生可能な保存コンテンツがある場合にはステップＳ１０２に進み、視聴開始時刻までに再生可能な保存コンテンツが無い場合にはステップＳ１０７に進んで視聴予約チャンネル（４ｃｈ）を表示する。
【００１８】
ステップＳ１０２では、図３（ｂ）に示すようなコンテンツ視聴確認画面（視聴予約番組に関する情報、保存コンテンツの件数およびユーザに対する「はい」、「いいえ」の選択肢情報を含んでいる）を表示してユーザが保存コンテンツを視聴するか否かを確認する。ここで、ユーザが「はい（コンテンツ視聴あり）」を選択した場合にはステップＳ１０３に進み、ユーザが「いいえ（コンテンツ視聴なし）」を選択した場合にはステップＳ１０７に進んで視聴予約チャンネル（４ｃｈ）を表示する。
【００１９】
ステップＳ１０３では、図３（ｃ）に示すような、ステップＳ１０１の条件に該当する保存コンテンツの一覧を表示する。図３（ｃ）の保存コンテンツ一覧には、再生時間５分の「全国のニュース」および「全国の天気」と、再生時間３分の「神奈川ニュース」、「横浜の天気」、「渋滞情報」、「本日の料理」および「占い」が、「視聴予約したコンテンツ（番組）の視聴開始までの残り時間を知らせるバー」とともに表示される。
【００２０】
上記ステップＳ１０３の保存コンテンツ一覧の表示は、ユーザにより一覧の中の何れか１つの保存コンテンツが選択されてステップＳ１０４がＹＥＳになるまで繰り返される。したがって、図３（ｃ）の保存コンテンツ一覧を表示している状態でコンテンツを選択せずに例えば２分が経過（残り５分未満）すると、図３（ｄ）に示す保存コンテンツ一覧に更新表示される。図３（ｄ）の保存コンテンツ一覧には、再生時間３分の「神奈川ニュース」、「横浜の天気」、「渋滞情報」、「本日の料理」および「占い」と、再生時間３分未満の「ランキング」および「占い  天秤座」が、「視聴予約したコンテンツ（番組）の視聴開始までの残り時間を知らせるバー」とともに表示される。
【００２１】
何れか１つの保存コンテンツが選択されてステップＳ１０４がＹＥＳになったときにはステップＳ１０５に進む。ステップＳ１０５では、ユーザにより選択された保存コンテンツを再生する。このステップＳ１０５の保存コンテンツの再生が終了したときに進むステップＳ１０６では、残り時間（ステップＳ１０４で選択した保存コンテンツの再生終了時刻から視聴予約したコンテンツ（番組）の視聴開始時刻までの時間）で再生可能なコンテンツの有無を判断し、残り時間で再生可能な保存コンテンツがある場合にはステップＳ１０３以降のループを繰り返し、残り時間で再生可能な保存コンテンツがなくなった場合にはステップＳ１０７に進んで視聴予約チャンネル（４ｃｈ）を表示する。
【００２２】
なお、上記ステップＳ１０３の保存コンテンツ一覧に含まれる保存コンテンツが１つだけの場合や、予め保存コンテンツの再生優先度が設定されている場合や、保存コンテンツの中に別途契約した有料コンテンツが含まれている場合には、ステップＳ１０４においてユーザがコンテンツの選択を行うことなく、該当する保存コンテンツ（１つだけの保存コンテンツ、優先度が設定された保存コンテンツ、有料コンテンツ）を自動的に再生するようにするものとする。図４（ａ）の設定例１は保存コンテンツ再生優先度が設定されている例を示しており、優先度が設定されている「神奈川県の天気（図中に斜線を付けてある）」は、保存コンテンツ一覧の最上位に位置しているため、図３（ｃ）に示す「全国の天気」の放送時間枠で、「全国の天気」に差し替えて、自動的に再生される。なお、優先度が設定された保存コンテンツが複数存在する場合は、最上位の優先度が設定された保存コンテンツが自動的に再生される。また、図４（ｂ）の設定例２は保存コンテンツの中に別途契約した有料コンテンツが含まれている例を示しており、「有料コンテンツ（図中に斜線を付けてある）」は、保存コンテンツ一覧の最上位に位置しているため、自動的に再生される。
【００２３】
本発明のコンテンツ蓄積再生装置によれば、図２の視聴予約時のコンテンツ一覧表示を行うことにより、コンテンツ（番組）の視聴予約を行った時刻から視聴予約したコンテンツ（番組）の視聴開始時刻までの時間（残り時間）内で視聴可能な保存コンテンツの一覧を表示するので、コンテンツ蓄積再生装置内に蓄積されたコンテンツの視聴の機会が増え、装置内に蓄積されている保存コンテンツを効率的に視聴することができるようになる。
【００２４】
［コンテンツ（番組）を途中から視聴開始したときのコンテンツ一覧表示動作］
図５は本発明のコンテンツ蓄積再生装置において、コンテンツ（番組）を途中から視聴開始したときのコンテンツ一覧表示処理を示すフローチャートである。このフローチャートは、ユーザがコンテンツ蓄積再生装置においてテレビアプリケーションを起動して図６（ａ）に示すような放送途中のコンテンツ（番組、８ｃｈの番組表を含む）の視聴を開始したときに開始される。
【００２５】
なお、事前に、図６（ｂ）に示す設定内容例のような視聴割合設定を行っておくことにより、「コンテンツ（番組）を途中から視聴したときにコンテンツ（番組）の放送時間の残りが少ない場合には、保存コンテンツを表示する」ように設定しておくものとする。図６（ｂ）に示す設定内容例は、「視聴開始が放送時間の残り１０％以下のとき保存コンテンツを視聴する」であるため、例えば６０分番組で残りの放送時間が６分であった場合には保存コンテンツを視聴することになる。図６（ｂ）に示す視聴割合設定画面において、ユーザは「１０％」の部分に所望の割合（ｘ％）を指定することにより、視聴割合（放送時間に対する残り時間の割合）を設定することができ、ユーザは、所望の割合を指定した後に図６（ｂ）に示す視聴割合設定画面の「はい」を選択するものとする。
なお、上記視聴割合設定における所望の割合（％）を指定する代わりに、所望の残り時間（例えば「１０分」）を指定するようにしてもよい。
【００２６】
まず、図５のステップＳ１１１において、アプリケースオンを起動した際の、現在のコンテンツ（番組）の残り時間、すなわち、前回テレビアプリケーションを終了させたときに選択されていたチャンネル（ラストチャンネル）のコンテンツ（番組）の放送時間の残り時間や今回テレビアプリケーションを起動した後に選択したチャンネルのコンテンツ（番組）の放送時間の残り時間が予め指定された割合未満であるか否かを判断し、残り時間が予め指定された割合未満である場合にはステップＳ１１２に進み、残り時間が予め指定された割合以上である場合にはステップＳ１１８に進んで視聴チャンネル（８ｃｈ）を表示する。
【００２７】
ステップＳ１１２では、現在のコンテンツ（番組）の残り時間で再生可能な保存コンテンツ（図６（ａ）の例の場合、コンテンツ（番組）の視聴開始時刻２０：５３から当該コンテンツ（番組）の視聴終了時刻２１：００までの約７分で再生可能な保存コンテンツ）の有無を判断し、現在のコンテンツ（番組）の残り時間で再生可能な保存コンテンツがある場合にはステップＳ１１３に進み、現在のコンテンツ（番組）の残り時間で再生可能な保存コンテンツが無い場合にはステップＳ１１８に進んで視聴チャンネル（８ｃｈ）を表示する。なお、ここでは割合を１５％と設定しているものとする。
【００２８】
ステップＳ１１３では、図６（ｃ）に示すようなコンテンツ視聴確認画面（現在のコンテンツ（番組）の終了時刻までに視聴可能な保存コンテンツの件数およびユーザに対する「はい」、「いいえ」の選択肢情報を含んでいる）を表示してユーザが保存コンテンツを視聴するか否かを確認する。ここで、ユーザが「はい（コンテンツ視聴あり）」を選択した場合にはステップＳ１１４に進み、ユーザが「いいえ（コンテンツ視聴なし）」を選択した場合にはステップＳ１１８に進んで視聴チャンネル（８ｃｈ）を表示する。
【００２９】
ステップＳ１１４では、図６（ｄ）に示すような、ステップＳ１１２の条件に該当する保存コンテンツの一覧を表示する。図６（ｄ）の保存コンテンツ一覧には、再生時間５分の「全国のニュース」および「全国の天気」と、再生時間３分の「神奈川ニュース」、「横浜の天気」、「渋滞情報」、「本日の料理」および「占い」が、「視聴中のコンテンツ（番組）の残り時間を知らせるバー」とともに表示される。
【００３０】
上記ステップＳ１１４の保存コンテンツ一覧の表示は、ユーザにより一覧の中の何れか１つの保存コンテンツが選択されてステップＳ１１５がＹＥＳになるまで繰り返される。したがって、図６（ｄ）の保存コンテンツ一覧を表示している状態でコンテンツを選択せずに例えば２分が経過（残り５分未満）すると、図６（ｅ）に示す保存コンテンツ一覧に更新表示される。図６（ｅ）の保存コンテンツ一覧には、再生時間３分の「神奈川ニュース」、「横浜の天気」、「渋滞情報」、「本日の料理」および「占い」と、再生時間３分未満の「ランキング」および「占い  天秤座」が、「視聴中のコンテンツ（番組）の残り時間を知らせるバー」とともに表示される。
【００３１】
何れか１つの保存コンテンツが選択されてステップＳ１１５がＹＥＳになったときにはステップＳ１１６に進む。ステップＳ１１６では、ユーザにより選択された保存コンテンツを再生する。このステップＳ１１６の保存コンテンツの再生が終了したときに進むステップＳ１１７では、残り時間（ステップＳ１１５で選択した保存コンテンツの再生終了時刻から現在のコンテンツ（番組）の終了時刻までの時間）で再生可能なコンテンツの有無を判断し、残り時間で再生可能な保存コンテンツがある場合にはステップＳ１１４以降のループを繰り返し、残り時間で再生可能な保存コンテンツがなくなった場合にはステップＳ１１８に進んで視聴チャンネル（８ｃｈ）を表示する。
【００３２】
なお、上記ステップＳ１１４の保存コンテンツ一覧に含まれる保存コンテンツが１つだけの場合や、予め保存コンテンツの再生優先度が設定されている場合や、保存コンテンツの中に別途契約した有料コンテンツが含まれている場合には、ステップＳ１１５においてユーザがコンテンツの選択を行うことなく、該当する保存コンテンツ（１つだけの保存コンテンツ、優先度が設定された保存コンテンツ、有料コンテンツ）を自動的に再生するようにするものとする。図４（ａ）の設定例１は保存コンテンツ再生優先度が設定されている例を示しており、優先度が設定されている「神奈川県の天気（図中に斜線を付けてある）」は、保存コンテンツ一覧の最上位に位置しているため、図３（ｃ）に示す「全国の天気」の放送時間枠で、「全国の天気」に差し替えて、自動的に再生される。なお、優先度が設定された保存コンテンツが複数存在する場合は、最上位の優先度が設定された保存コンテンツが自動的に再生される。また、図４（ｂ）の設定例２は保存コンテンツの中に別途契約した有料コンテンツが含まれている例を示しており、「有料コンテンツ（図中に斜線を付けてある）」は、保存コンテンツ一覧の最上位に位置しているため、自動的に再生される。
【００３３】
本発明のコンテンツ蓄積再生装置によれば、図５のコンテンツ（番組）を途中から視聴開始したときのコンテンツ一覧表示を行うことにより、途中から視聴開始したコンテンツ（番組）の残り時間内で視聴可能な保存コンテンツの一覧を表示するので、コンテンツ蓄積再生装置内に蓄積されたコンテンツの視聴の機会が増え、装置内に蓄積されている保存コンテンツを効率的に視聴することができるようになる。
【図面の簡単な説明】
【００３４】
【図１】本発明の一実施形態に係るコンテンツ蓄積再生装置の構成を示すブロック図である。
【図２】本発明のコンテンツ蓄積再生装置において、視聴予約時に行うコンテンツ一覧表示処理を示すフローチャートである。
【図３】（ａ）〜（ｄ）は図２のコンテンツ一覧表示処理の動作の一例を説明するための図である。
【図４】（ａ）は保存コンテンツ再生の優先度が設定されている例を示す図であり、（ｂ）は保存コンテンツの中に別途契約した有料コンテンツが含まれている例を示す図である。
【図５】本発明のコンテンツ蓄積再生装置において、コンテンツを途中から視聴開始したときのコンテンツ一覧表示処理を示すフローチャートである。
【図６】（ａ）〜（ｅ）は図５のコンテンツ一覧表示処理の動作の一例を説明するための図である。
【符号の説明】
【００３５】
１００  コンテンツ蓄積再生装置
１１０，１３０  アンテナ
１２０  放送受信部
１４０  通信部
１５０  入力部
１６０  表示部
１７０  記憶部
１８０  制御部
【図１】
2010130172.tif 000003
【図２】
2010130172.tif 000004
【図３】
2010130172.tif 000005
【図４】
2010130172.tif 000006
【図５】
2010130172.tif 000007
【図６】
2010130172.tif 000008